(57)【要約】【課題】利用制限がかけられているコンテンツをハードウェアの制約を受けずに利用することができるコンテンツ使用システムを提供すること。【解決手段】この携帯電話機１０は、コンテンツと、当該コンテンツを再生する際に必要となる暗号化されたライセンス情報とを受信する受信部１０３と、コンテンツの利用を要求する要求情報の入力に応じて、暗号化されたライセンス情報を復号するライセンス復号部２０１と、当該復号したライセンス情報を用いて、コンテンツを再生するコンテンツ再生部１０５と、を備える。【選択図】  図１
2005033443.tif 000002
【特許請求の範囲】
【請求項１】
コンテンツと、当該コンテンツを再生する際に必要となる暗号化されたライセンス情報とを受信する受信手段と、
前記コンテンツの利用を要求する要求情報の入力に応じて、前記暗号化されたライセンス情報を復号するライセンス復号手段と、
当該復号したライセンス情報を用いて、前記コンテンツを再生するコンテンツ再生手段と、
を備えるコンテンツ利用システム。
【請求項２】
当該コンテンツ利用システムはＩＣカードを備え、
前記ライセンス復号手段は前記ＩＣカードに形成されている、請求項１に記載のコンテンツ利用システム。
【発明の詳細な説明】
【０００１】
【発明の属する技術分野】
本発明は、コンテンツ利用システムに関するものである。
【０００２】
【従来の技術】
インターネットを介したコンテンツの流通方式の一形態としてダウンロード方式がある。このダウンロード方式は、コンテンツ代金の支払いを先に済ませ、その後コンテンツを利用者端末にダウンロードする方式である。このダウンロード方式では、ダウンロード後のコンテンツの利用は自由に行うことができる。ダウンロード方式の場合には、ダウンロード後にコンテンツの利用が自由にできてしまうために、著作権管理上の利用制限をかけることが困難である。この事態に対処するために、ＩＣカードにＩＤを格納し、コンテンツを利用する際にこのＩＤを利用するものがある（例えば、特許文献１参照。）。
【０００３】
【特許文献１】
特開２００１−１４８１５６号公報
【０００４】
【発明が解決しようとする課題】
上記従来の技術では、コンテンツごとにＩＣカードを準備する必要があり、コンテンツを自由に流通させるにはハードウェアの側面からの制約が大きい。
【０００５】
そこで本発明では、利用制限がかけられているコンテンツをハードウェアの制約を受けずに利用することができるコンテンツ使用システムを提供することを課題とする。
【０００６】
【課題を解決するための手段】
本発明のコンテンツ利用システムは、コンテンツと、当該コンテンツを再生する際に必要となる暗号化されたライセンス情報とを受信する受信手段と、コンテンツの利用を要求する要求情報の入力に応じて、暗号化されたライセンス情報を復号するライセンス復号手段と、当該復号したライセンス情報を用いて、コンテンツを再生するコンテンツ再生手段と、を備える。
【０００７】
本発明のコンテンツ利用システムによれば、コンテンツと共に送信される暗号化されたライセンス情報を復号し、その復号したライセンス情報を用いてコンテンツを再生するので、ハードウェアに依存しないコンテンツの利用が可能となる。また、コンテンツを利用する際のプレーヤーも限定されないので、汎用性の高いコンテンツの利用が可能となる。
【０００８】
また本発明のコンテンツ利用装置においては、ＩＣカードを備え、ライセンス復号手段はＩＣカードに形成されていることも好ましい。ＩＣカードは耐タンパデバイスであるから、ライセンス復号手段の処理が改竄されることを効果的に抑止できる。
【０００９】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１０】
（第一実施形態）
本発明の第一実施形態であるコンテンツ利用システム１ａについて図１を用いて説明する。コンテンツ利用システム１ａは、携帯電話機１０と、コンテンツサーバ３０と、ネットワーク４０とを含む。携帯電話機１０とコンテンツサーバ３０とはネットワーク４０を介して情報通信が可能なように構成されている。コンテンツサーバ３０は、コンテンツプロバイダが運用するサーバであって、コンテンツを携帯電話機１０に送信する。
【００１１】
携帯電話機１０は、ユーザが使用する携帯電話機であって、音声通話とデータ通信とが可能なように構成されている。携帯電話機１０は、物理的には、ＣＰＵ（中央処理装置）、メモリ、プッシュボタンやダイヤルといった入力装置、ディスプレイといった表示装置、及びＩＣカードを読み書きするためのスロットを備える。携帯電話機１０にはＩＣカード２０が着脱可能に装着されている。
【００１２】
ＩＣカード２０は、プラスチック製カードに極めて薄い半導体集積回路（ＩＣチップ）を埋め込み、情報を記録できるようにしたカードである。ＩＣカード２０は耐タンパデバイスであって、カードに物理的改竄（ＩＣチップの改造など）を加えようとしても、保管されている情報が消滅・無効化したりあるいは使用できなくなるように構成されている。
【００１３】
携帯電話機１０は、機能的な構成要素として、入力部１０１と、送信部１０２と、受信部１０３（受信手段）と、認証部１０４と、コンテンツ再生部１０５（コンテンツ再生手段）と、表示部１０６と、ライセンス復号部２０１（ライセンス復号手段）と、ライセンス情報格納部２１０と、を含む。ライセンス復号部２０１及びライセンス情報格納部２１０は、ＩＣカード２０内に形成されている。引き続いて、各構成要素について詳細に説明する。
【００１４】
入力部１０１は、ユーザが入力するチケット要求を受け付けて、そのチケット要求を送信部１０２に出力する部分である。このチケット要求は、コンテンツを利用する際に必要となる暗号化されたライセンス情報を要求するものである。入力部１０１はまた、ユーザが入力するコンテンツ要求（要求情報）を受け付けて、そのコンテンツ要求を送信部１０２に出力する部分でもある。このコンテンツ要求は、コンテンツの送信を要求するものである。
【００１５】
送信部１０２は、入力部１０１が出力するチケット要求及びコンテンツ要求をコンテンツサーバ３０に送信する部分である。送信部１０２はまた、認証部１０４が出力する証明書情報（詳細は後述する）をコンテンツサーバ３０に送信する部分でもある。
【００１６】
受信部１０３は、コンテンツサーバ３０から送信されるコンテンツ及びそのコンテンツを再生する際に必要となる暗号化されたライセンス情報とを受信する部分である。受信部１０３は、受信した情報を認証部１０４及びコンテンツ再生部１０５に出力すると共に、受信した暗号化されたライセンス情報をライセンス情報格納部２１０に格納する。
【００１７】
認証部１０４は、受信部１０３が出力する情報に基づいて、ＩＣカード２０に形成されているライセンス情報格納部２１０に格納されている証明書情報を取り出して送信部１０２に出力する部分である。この証明書情報は、携帯電話機１０のユーザがコンテンツサーバ３０を運用するコンテンツプロバイダに認証を受けるために予め取得してある電子証明書の情報である。
【００１８】
コンテンツ再生部１０５は、受信部１０３から出力されるコンテンツをライセンス情報を用いて再生する部分である。より具体的には、コンテンツ再生部１０５は、暗号化されたライセンス情報を受け取ると、その暗号化されたライセンス情報をライセンス復号部２０１に出力して復号を要求する。ライセンス復号部２０１は、暗号化されたライセンス情報が入力されるとその暗号化されたライセンス情報を復号化してコンテンツ再生部１０５に出力する。コンテンツ再生部１０５は、この出力されたライセンス情報を用いてコンテンツを再生し、表示部１０６に出力する。
【００１９】
表示部１０６は、コンテンツ再生部１０５から出力されるコンテンツを表示する部分である。
【００２０】
ライセンス復号部２０１は、コンテンツの利用を要求するコンテンツ要求（要求情報）の入力に応じて、暗号化されたライセンス情報を復号する部分である。既に説明したように、入力部１０１にコンテンツ要求が入力されると、そのコンテンツ要求は送信部１０２に出力され、送信部１０２がコンテンツ要求をコンテンツサーバ３０に送信する。その後、コンテンツと暗号化されたライセンス情報とがコンテンツサーバ３０から送信され、受信部１０３が受信してコンテンツ再生部１０５に出力される。コンテンツ再生部１０５は、暗号化されたライセンス情報をライセンス復号部２０１に出力して復号することを要求する。ライセンス復号部２０１は、この要求に応じて暗号化されたライセンス情報を復号してコンテンツ再生部１０５に出力する。尚、本実施形態においては、ライセンス情報の暗号化には公開鍵暗号の原理が用いられている。
【００２１】
引き続いて、コンテンツ利用システム１ａの動作について図２及び図３を用いて説明する。図２及び図３は、コンテンツ利用システム１ａの動作を説明するためのシーケンス図であって、一連の動作を示すものである。ユーザが携帯電話機１０の入力部１０１にチケット要求を入力すると、入力部１０１がそのチケット要求を受け付ける（ステップＳ０１）。入力部１０１は、チケット要求を送信部１０２に出力する（ステップＳ０２）。送信部１０２は、チケット要求をコンテンツサーバ３０に送信する（ステップＳ０３）。この送信に応じて、コンテンツサーバ３０は、証明書を要求する証明書要求を送信する（ステップＳ０４）。
【００２２】
コンテンツサーバ３０が送信した証明書要求は受信部１０３が受信し、認証部１０４に出力する（ステップＳ０５）。認証部１０４は、ＩＣカード２０のライセンス情報格納部２１０に格納されている証明書情報を取得する（ステップＳ０６）。認証部１０４は取得した証明書情報を送信部１０２に出力する（ステップＳ０７）。送信部１０２はこの証明書情報をコンテンツサーバ３０に送信する（ステップＳ０８）。コンテンツサーバ３０はこの証明書情報によってユーザを認証し、暗号化されたライセンス情報を携帯電話機１０に送信する（ステップＳ０９）。この暗号化されたライセンス情報は受信部１０３が受信し、ライセンス情報格納部２１０に格納する（ステップＳ１０）。
【００２３】
図３に移って、ユーザが携帯電話機１０の入力部１０１にコンテンツ要求を入力すると、入力部１０１がそのコンテンツ要求を受け付ける（ステップＳ１１）。入力部１０１はコンテンツ要求を送信部１０２に出力する（ステップＳ１２）。送信部１０２は、そのコンテンツ要求をコンテンツサーバ３０に送信する（ステップＳ１３）。この送信に応じて、コンテンツサーバ３０は、証明書を要求する証明書要求を送信する（ステップＳ１４）。
【００２４】
コンテンツサーバ３０が送信した証明書要求は受信部１０３が受信し、認証部１０４に出力する（ステップＳ１５）。認証部１０４は、ＩＣカード２０のライセンス情報格納部２１０に格納されている証明書情報を取得する（ステップＳ１６）。認証部１０４は取得した証明書情報を送信部１０２に出力する（ステップＳ１７）。送信部１０２はこの証明書情報をコンテンツサーバ３０に送信する（ステップＳ１８）。コンテンツサーバ３０はこの証明書情報によってユーザを認証し、暗号化されたライセンス情報とコンテンツとを携帯電話機１０に送信する（ステップＳ１９）。この暗号化されたライセンス情報とコンテンツは受信部１０３が受信し、コンテンツ再生部１０５に出力する（ステップＳ２０）。
【００２５】
コンテンツ再生部１０５は、暗号化されたライセンス情報をライセンス復号部２０１に出力し、暗号化されたライセンス情報を復号するように要求する（ステップＳ２１）。ライセンス復号部２０１はこの暗号化されたライセンス情報を復号する（ステップＳ２２）。ライセンス復号部２０１は復号したライセンス情報をコンテンツ再生部１０５に出力する（ステップＳ２３）。コンテンツ再生部１０５は、このライセンス情報を用いてコンテンツを再生し、表示部１０６に出力する（ステップＳ２４）。
【００２６】
（第二実施形態）
本発明の第二実施形態であるコンテンツ利用システム４ａについて図４を用いて説明する。コンテンツ利用システム４ａは、携帯電話機５０と、パーソナルコンピュータ６０と、コンテンツサーバ３０と、ネットワーク４０とを含む。パーソナルコンピュータ６０とコンテンツサーバ３０とはネットワーク４０を介して情報通信が可能なように構成されている。コンテンツサーバ３０は、コンテンツプロバイダが運用するサーバであって、コンテンツをパーソナルコンピュータ６０に送信する。携帯電話機５０とパーソナルコンピュータ６０とは、互いのインターフェイス部５０３及びインターフェイス部６０３を用いて情報通信を行うことができる。
【００２７】
パーソナルコンピュータ６０について説明する。パーソナルコンピュータ６０は物理的には、ＣＰＵ（中央処理装置）、メモリ、ハードディスク、マウスやキーボードといった入力装置、ディスプレイといった表示装置を備えるコンピュータである。パーソナルコンピュータ６０は機能的な構成要素として、入力部６０１と、送受信部６０２（受信手段）と、インターフェイス部６０３と、コンテンツ再生部６０４（コンテンツ再生手段）と、表示部６０５と、を含む。引き続いて、各構成要素について詳細に説明する。
【００２８】
入力部６０１は、ユーザが入力するコンテンツ要求（要求情報）を受け付けて、そのコンテンツ要求を送受信部６０２に出力する部分である。このコンテンツ要求は、コンテンツの送信を要求するものである。
【００２９】
送受信部６０２は、入力部６０１が出力するコンテンツ要求をコンテンツサーバ３０に送信する部分である。送受信部６０２は、コンテンツサーバ３０から送信される証明書を要求する証明書要求を受信し、インターフェイス部６０３及びインターフェイス部５０３を経由して携帯電話機５０の認証部５０４に出力する部分でもある。送受信部６０２はまた、携帯電話機５０の認証部５０４が出力する証明書情報（詳細は後述する）をインターフェイス部５０３及びインターフェイス部６０３を経由して受け取って、コンテンツサーバ３０に送信する部分でもある。
【００３０】
送受信部６０２はまた、コンテンツサーバ３０から送信されるコンテンツ及びそのコンテンツを再生する際に必要となる暗号化されたライセンス情報とを受信する部分である。送受信部６０２は、この受信したコンテンツ及びそのコンテンツを再生する際に必要となる暗号化されたライセンス情報をコンテンツ再生部６０４に出力する。
【００３１】
インターフェイス部６０３は、携帯電話機５０のインターフェイス部５０３との間で情報のやり取りが可能なように構成されている部分である。
【００３２】
コンテンツ再生部６０４は、送受信部６０２から出力されるコンテンツをライセンス情報を用いて再生する部分である。より具体的には、コンテンツ再生部６０４は、暗号化されたライセンス情報を受け取ると、その暗号化されたライセンス情報を携帯電話機５０のライセンス復号部７０１に出力して復号を要求する。ライセンス復号部７０１は、暗号化されたライセンス情報が入力されるとその暗号化されたライセンス情報を復号化してライセンス復号完了信号をコンテンツ再生部６０４に出力する。コンテンツ再生部６０４は、この出力されたライセンス復号完了信号に応じて、ライセンス復号部７０１からライセンス情報を取得してコンテンツを再生し、表示部６０５に出力する。
【００３３】
表示部６０５は、コンテンツ再生部６０４から出力されるコンテンツを表示する部分である。
【００３４】
携帯電話機５０について説明する。携帯電話機５０は、ユーザが使用する携帯電話機であって、音声通話とデータ通信とが可能なように構成されている。携帯電話機５０は、物理的には、ＣＰＵ（中央処理装置）、メモリ、プッシュボタンやダイヤルといった入力装置、ディスプレイといった表示装置、及びＩＣカードを読み書きするためのスロットを備える。携帯電話機５０にはＩＣカード７０が着脱可能に装着されている。
【００３５】
ＩＣカード７０は、プラスチック製カードに極めて薄い半導体集積回路（ＩＣチップ）を埋め込み、情報を記録できるようにしたカードである。ＩＣカード２０は耐タンパデバイスであって、カードに物理的改竄（ＩＣチップの改造など）を加えようとしても、保管されている情報が消滅・無効化したりあるいは使用できなくなるように構成されている。
【００３６】
携帯電話機５０は、機能的な構成要素として、インターフェイス部５０３と、認証部５０４と、ライセンス復号部７０１（ライセンス復号手段）と、ライセンス情報格納部７１０と、を含む。ライセンス復号部７０１及びライセンス情報格納部７１０は、ＩＣカード７０内に形成されている。引き続いて、各構成要素について詳細に説明する。
【００３７】
認証部５０４は、パーソナルコンピュータ６０の送受信部６０２が出力する情報に基づいて、ＩＣカード７０に形成されているライセンス情報格納部７１０に格納されている証明書情報を取り出して送受信部６０２に出力する部分である。この証明書情報は、携帯電話機５０のユーザが、コンテンツサーバ３０を運用するコンテンツプロバイダに認証を受けるために予め取得してある電子証明書の情報である。
【００３８】
ライセンス復号部７０１は、コンテンツの利用を要求するコンテンツ要求（要求情報）の入力に応じて、暗号化されたライセンス情報を復号する部分である。既に説明したように、パーソナルコンピュータ６０の入力部６０１にコンテンツ要求が入力されると、そのコンテンツ要求は送受信部６０２に出力され、送受信部６０２がコンテンツ要求をコンテンツサーバ３０に送信する。その後、コンテンツと暗号化されたライセンス情報とがコンテンツサーバ３０から送信され、送受信部６０２が受信してコンテンツ再生部６０４に出力する。コンテンツ再生部６０４は、暗号化されたライセンス情報をライセンス復号部７０１に出力して復号することを要求する。ライセンス復号部７０１は、この要求に応じて暗号化されたライセンス情報を復号して、ライセンス復号完了信号をコンテンツ再生部６０４に出力する。尚、本実施形態においては、ライセンス情報の暗号化には公開鍵暗号の原理が用いられている。
【００３９】
インターフェイス部５０３は、パーソナルコンピュータ６０のインターフェイス部６０３との間で情報のやり取りが可能なように構成されている部分である。
【００４０】
引き続いて、コンテンツ利用システム４ａの動作について図５を用いて説明する。図５は、コンテンツ利用システム４ａの動作を説明するためのシーケンス図である。ユーザがパーソナルコンピュータ６０の入力部６０１にコンテンツ要求を入力すると、入力部６０１がそのコンテンツ要求を受け付ける（ステップＳ５１）。入力部６０１はコンテンツ要求を送信部６０２に出力する（ステップＳ５２）。送信部６０２は、そのコンテンツ要求をコンテンツサーバ３０に送信する（ステップＳ５３）。この送信に応じて、コンテンツサーバ３０は、証明書を要求する証明書要求を送信する（ステップＳ５４）。
【００４１】
コンテンツサーバ３０が送信した証明書要求は送受信部６０２が受信し、携帯電話機５０の認証部５０４に出力する（ステップＳ５５）。認証部５０４は、ＩＣカード７０のライセンス情報格納部７１０に格納されている証明書情報を取得する（ステップＳ５６）。認証部５０４は取得した証明書情報をパーソナルコンピュータ６０の送信部６０２に出力する（ステップＳ５７）。送信部６０２はこの証明書情報をコンテンツサーバ３０に送信する（ステップＳ５８）。コンテンツサーバ３０はこの証明書情報によってユーザを認証し、暗号化されたライセンス情報とコンテンツとをパーソナルコンピュータに送信する（ステップＳ５９）。この暗号化されたライセンス情報とコンテンツは送受信部６０２が受信し、コンテンツ再生部６０４に出力する（ステップＳ６０）。
【００４２】
コンテンツ再生部６０４は、暗号化されたライセンス情報をライセンス復号部７０１に出力し、暗号化されたライセンス情報を復号するように要求する（ステップＳ６１）。ライセンス復号部７０１はこの暗号化されたライセンス情報を復号する（ステップＳ６２）。ライセンス復号部７０１はライセンス復号完了信号をコンテンツ再生部６０４に出力する（ステップＳ６３）。コンテンツ再生部６０４はライセンス復号完了信号に応じて、復号化されたライセンス情報をライセンス復号部７０１から取得する（ステップＳ６４）。コンテンツ再生部６０４は、このライセンス情報を用いてコンテンツを再生し、表示部６０５に出力する（ステップＳ６５）。
【００４３】
【発明の効果】
本発明によれば、コンテンツと共に送信される暗号化されたライセンス情報を復号し、その復号したライセンス情報を用いてコンテンツを再生するので、ハードウェアに依存しないコンテンツの利用が可能となる。また、コンテンツを利用する際のプレーヤーも限定されないので、汎用性の高いコンテンツの利用が可能となる。従って本発明の目的とする、利用制限がかけられているコンテンツをハードウェアの制約を受けずに利用することができるコンテンツ使用システムを提供することができた。
【図面の簡単な説明】
【図１】本発明の第一実施形態であるコンテンツ利用システムを説明するための図である。
【図２】本発明の第一実施形態であるコンテンツ利用システムの動作を説明するための図である。
【図３】本発明の第一実施形態であるコンテンツ利用システムの動作を説明するための図である。
【図４】本発明の第二実施形態であるコンテンツ利用システムを説明するための図である。
【図５】本発明の第二実施形態であるコンテンツ利用システムの動作を説明するための図である。
【符号の説明】
１ａ…コンテンツ利用システム、１０…携帯電話機、２０…ＩＣカード、３０…コンテンツサーバ、４０…ネットワーク、１０１…入力部、１０２…送信部、１０３…受信部、１０４…認証部、１０５…コンテンツ再生部、１０６…表示部、２０１…ライセンス復号部、２１０…ライセンス情報格納部。
【図１】
2005033443.tif 000003
【図２】
2005033443.tif 000004
【図３】
2005033443.tif 000005
【図４】
2005033443.tif 000006
【図５】
2005033443.tif 000007